(57)【要約】      （修正有）【課題】電源スイッチの操作ボタンがハウジングの周壁の開口から押動操作可能に外側に露出した状態にてスイッチボックスをハウジングの周壁内面に取り付けたときに、操作ボタンを押動操作してもハウジングが撓まないようにする。【解決手段】飲料ディスペンサ１０においては、電源スイッチは操作ボタンがハウジング１１の周壁の開口から押動操作可能に外側に露出した状態にて、スイッチボックス４１がハウジング１１の周壁内面に取り付けられている。スイッチボックス４１の操作ボタンを設けた操作面と対向する対向面には冷却水槽１２に固定した移動阻止部材（カバープレート）５１を当接または僅かな隙間を設けて近接させ、スイッチボックス４１の操作面と対向する対向面の後側への移動を阻止した。【選択図】図４
2014065500.tif 000002
【特許請求の範囲】
【請求項１】
飲料を冷却する冷却水槽と、電源からの給電により同冷却水槽を冷却する冷凍装置と、前記電源と前記冷凍装置との間に設けて操作ボタンの押動操作により前記電源からの電気の供給または遮断をする開閉器をスイッチボックスに内蔵した電源スイッチとをハウジング内に備え、
前記電源スイッチは前記操作ボタンが前記ハウジングの周壁の開口から押動操作可能に外側に露出した状態にて前記スイッチボックスが前記ハウジングの周壁内面に取り付けられた飲料ディスペンサにおいて、
前記スイッチボックスの前記操作ボタンを設けた操作面と対向する対向面には前記冷却水槽に固定した移動阻止部材を当接または近接させたことを特徴とする飲料ディスペンサ。
【請求項２】
前記スイッチボックスは前記冷却水槽の上側にて前記ハウジングの周壁内面上部に取り付けられ、前記移動阻止部材として前記冷却水槽の上側に固定したカバープレートを用いたことを特徴とする請求項１に記載の飲料ディスペンサ。
【請求項３】
前記スイッチボックスは前記冷却水槽の上側にて前記ハウジングの周壁内面上部に取り付けられ、前記移動阻止部材として前記冷却水槽の上側に固定した電気部品を収容する電気部品収容ボックスを用いたことを特徴とする請求項１に記載の飲料ディスペンサ。
【発明の詳細な説明】
【技術分野】
【０００１】
本発明は、ビール等の飲料を冷却して供給する飲料ディスペンサに関する。
【背景技術】
【０００２】
特許文献１には飲料ディスペンサが開示されている。この飲料ディスペンサは、飲料を冷却する冷却水槽と、電源からの給電により同冷却水槽を冷却する冷凍装置とをハウジング内に備え、ハウジング外に設けたビア樽等の飲料容器内の飲料を冷却水槽内に立設した飲料供給管を通過させて冷却し、ハウジングの前面に設けた注出コックから飲料を注出するものである。
【先行技術文献】
【特許文献】
【０００３】
【特許文献１】特開２０１１−１６９５６８
【発明の概要】
【発明が解決しようとする課題】
【０００４】
このような飲料ディスペンサにおいては、電源から冷凍装置に供給する電気の供給または遮断をする電源スイッチがハウジング内に設けられており、電源スイッチはスイッチボックスの操作面の操作ボタンがハウジングの側壁の開口から押動操作可能に外側に露出した状態で、スイッチボックスがハウジングの側壁内面に取り付けられている。飲料ディスペンサにより飲料を冷却するときには、操作ボタンのオンボタンを押動操作することにより、冷凍装置は電源からの給電によって作動して冷却水槽内を冷却する。また、飲料ディスペンサを使用しないときには、操作ボタンのオフボタンを押動操作することにより、冷凍装置は電源からの給電が遮断されて作動停止する。
【０００５】
このような飲料ディスペンサにおいては、操作ボタンを何度も押動操作をしていくうちに、操作ボタンを設けたスイッチボックスとともにハウジングの側壁が内側に撓むことがあり、操作ボタンが押しにくくなるとともに、撓んだハウジングにより見栄えが悪くなる問題があった。本発明は、電源スイッチの操作ボタンがハウジングの周壁の開口から押動操作可能に外側に露出した状態にて、スイッチボックスをハウジングの周壁内面に取り付けたときに、操作ボタンを押動操作してもハウジングが撓まないようにすることを目的とする。
【課題を解決するための手段】
【０００６】
本発明は上記課題を解決するため、飲料を冷却する冷却水槽と、電源からの給電により同冷却水槽を冷却する冷凍装置と、電源と冷凍装置との間に設けて操作ボタンの押動操作により電源からの電気の供給または遮断をする開閉器をスイッチボックスに内蔵した電源スイッチとをハウジング内に備え、電源スイッチは操作ボタンがハウジングの周壁の開口から押動操作可能に外側に露出した状態にてスイッチボックスがハウジングの周壁内面に取り付けられた飲料ディスペンサにおいて、スイッチボックスの操作ボタンを設けた操作面と対向する対向面には冷却水槽に固定した移動阻止部材を当接または近接させたことを特徴とする飲料ディスペンサを提供するものである。
【０００７】
上記のように構成した飲料ディスペンサにおいては、スイッチボックスの操作ボタンを設けた操作面と対向する対向面には冷却水槽に固定した移動阻止部材を当接または近接させたので、電源スイッチの操作ボタンを押動操作しても、スイッチボックスは操作面と対向する対向面に移動阻止部材が当たって対向面の後側に移動しないようになり、操作ボタンが押しにくくなることを防ぐことができるとともに、ハウジングが内側に撓むのを防ぐことができる。
【０００８】
上記のように構成した飲料冷却装置においては、スイッチボックスは冷却水槽の上側にてハウジングの周壁内面上部に取り付けられ、移動阻止部材として冷却水槽の上側に固定したカバープレートを用いるのが好ましい。また、同様に、移動阻止部材として冷却水槽の上側に固定した電気部品を収容する電気部品収容ボックスを用いるのが好ましい。このようにしたときには、上記の作用効果を得るのに新たな部品を追加することなく既存の部品を用いるだけであるのでコストアップとならない。
【図面の簡単な説明】
【０００９】
【図１】本発明による飲料ディスペンサの一実施形態の斜視図である。
【図２】図１の縦方向の一部破断断面図である。
【図３】図１の蓋体とカバープレートとを取り外した状態の斜視図である。
【図４】図１の蓋体を取り外した状態の斜視図である。
【発明を実施するための形態】
【００１０】
以下に、本発明による飲料ディスペンサの一実施形態を図面を参照して説明する。図１及び図２に示すように、本発明に係る飲料ディスペンサ１０は、飲料を冷却する冷却水槽１２と、電源（図示しない）からの給電により冷却水槽１２を冷却する冷凍装置２０と、電源と冷凍装置２０との間に設けてオンボタン（操作ボタン）４２またはオフボタン（操作ボタン）４３の押動操作により電源からの電気の供給または遮断をする開閉器（図示しない）をスイッチボックス４１に内蔵した電源スイッチ４０とをハウジング１１内に備えている。この飲料ディスペンサ１０においては、電源スイッチ４０はオンボタン４２及びオフボタン４３がハウジング１１の側壁（周壁）上部の開口１１ａから押動操作可能に外側に露出した状態にて、スイッチボックス４１がハウジング１１の側壁（周壁）内面上部に取り付けられている。スイッチボックス４１のオンボタン４２及びオフボタン４３を設けた操作面と対向する対向面には冷却水槽１２に固定したカバープレート（移動阻止部材）５１を僅かな隙間を設けて近接させ、スイッチボックス４１がオンボタン４２またはオフボタン４３を押動操作したときに対向面の後側へ移動するのを阻止した。
【００１１】
飲料ディスペンサ１０は、上面が開口したハウジング１１内の前部に冷却水槽１２と後部に冷凍装置２０とを備え、ハウジング１１の上面開口には蓋体１３が着脱可能に設けられている。冷却水槽１２内には飲料を冷却するコイル状に巻回された飲料冷却管１４が立設しており、飲料冷却管１４の導入端側には図示しないビア樽等の飲料冷却源に接続され、飲料冷却管１４の導出端側にはハウジング１１の前壁に固定した注出コック１５に接続されている。
【００１２】
冷却水槽１２の周壁内面には飲料冷却管１４を囲むようにして冷凍装置２０の蒸発管２１がコイル状に巻回されている。電源（図示しない）からの給電により冷凍装置２０を作動させると、圧縮機２２により圧縮された冷媒ガスが凝縮器２３により冷却されて液化され、この液化冷媒はキャピラリーチューブを通して冷却水槽１２内の蒸発管２１に導かれて冷却水槽１２内の冷却水と熱交換されて、気化してから再び圧縮機２２に還流する。この冷凍装置２０の作動により、冷却水槽１２内の冷却水は蒸発管２１で気化する冷媒によって冷却されて、蒸発管２１の周囲で凍結して氷層となる。また、冷却水槽１２内には蒸発管２１の内周側で所定範囲の厚みの氷層となる位置に氷厚センサ（図示しない）が設けられている。氷厚センサは、一対の電極間に電圧を印可したときに検出される抵抗値により、蒸発管２１の周囲に所定範囲の厚みの氷層が形成されたか否かを検知するものである。
【００１３】
冷却水槽１２には撹拌装置３０が設けられている。撹拌装置３０は冷却水槽１２内の冷却水の温度を均一となるように撹拌するとともに、撹拌によって流動する冷却水により飲料冷却管１４を通過する飲料を効率よく冷却するものである。撹拌装置３０は、冷却水槽１２の左右両側壁の上縁に架設して固定した支持板３１と、この支持板３１の上面に固定した撹拌モータ３２と、撹拌モータ３２から支持板３１を貫通して冷却水槽１２内に延びて撹拌モータ３２により回転するシャフト３３と、シャフト３３の先端に固定した撹拌羽根３４とからなる。
【００１４】
ハウジング１１内には電源から冷凍装置２０及び撹拌装置３０への電気の供給または遮断をする電源スイッチ４０が設けられている。電源スイッチ４０は直方体形状をしたスイッチボックス４１内に開閉器（図示しない）を内蔵しており、開閉器はスイッチボックス４１の操作面のオンボタン（操作ボタン）４２またはオフボタン（操作ボタン）４３の押動操作により電源から冷凍装置２０及び撹拌装置３０に電気を供給または遮断をするものである。電源スイッチ４０は、オンボタン４２及びオフボタン４３がハウジング１１の右側壁上部の開口１１ａから押動操作可能に外側に露出した状態にて、スイッチボックス４１の操作面がハウジング１１の右側壁内面上部に密着した状態でねじにより取り付けられている。なお、この実施形態の電源スイッチ４０は漏電遮断器を内蔵している。
【００１５】
ハウジング１１内には冷凍装置２０の作動を制御する制御基板等の電気部品を収容した電気部品収容ボックス５０が設けられている。電気部品収容ボックス５０は撹拌装置３０の後側にて冷却水槽１２の後部の上縁に固定されている。また、ハウジング１１内には冷却水槽１２と冷凍装置２０の上側にカバープレート５１が設けられている。カバープレート５１は、蓋体１３を開けたときに、撹拌モータ３２と電源スイッチ４０と電気部品収容ボックス５０の電気配線が露出するのを防ぐことを目的としたものである。カバープレート５１は冷却水槽１２の上側を覆う水槽側カバー部５２と、冷凍装置２０の上側を覆う冷凍装置側カバー部５３とからなる。
【００１６】
カバープレート５１の水槽側カバー部５２は、冷却水槽１２の上側を覆う本体部５２ａの左右両側端部がハウジング１１の両側壁の上縁に内側に折曲げたフランジ部１１ｂに支持され、本体部５２ａの前端縁を下側に折り曲げた前側折曲部５２ｂの下端部が撹拌装置３０の支持板３１にねじにより固定され、本体部５２ａの後端縁を下側に折り曲げた後側折曲部５２ｃの下端部が冷却水槽１２の後部にねじにより固定されている。水槽側カバー部５２の前側折曲部５２ｂには、左右方向の中央部に撹拌モータ３２の前部が当たらないように逃がす切欠部５２ｄが形成され、右側部に電源スイッチ４０のスイッチボックス４１を逃がす切欠部５２ｅが形成されている。水槽側カバー部５２の前縁の前側折曲部５２ｂは、切欠部５２ｅによって切り欠かれた右端縁が電源スイッチ４０のスイッチボックス４１の操作面と対向する対向面に僅かな隙間（本実施形態では０．５ｍｍ）を設けて近接しており、スイッチボックス４１は水槽側カバー部５２の前縁の前側折曲部５２ｂにより対向面の後側（対向面の操作面と反対側）への移動が阻止されている。なお、この実施形態においては、カバープレート５１の前側折曲部５２ｂの右端縁が電源スイッチ４０のスイッチボックス４１の操作面と対向する対向面に僅かな隙間を設けて近接するようにしたが、本発明はこれに限られるものでなく、カバープレート５１の前側折曲部５２ｂの右端縁が電源スイッチ４０のスイッチボックス４１の操作面と対向する対向面に当接するようにしたときでも、スイッチボックス４１はオンボタン４２またはオフボタン４３の押動操作があっても対向面の後側（対向面の操作面と反対側）への移動が阻止される。
【００１７】
冷凍装置側カバー部５３は冷凍装置２０の上側を覆う本体部５３ａを備え、本体部５３ａは水槽側カバー部５２の後側折曲部５２ｃの下端から後側に進むにつれて高くなるように傾斜している。本体部５３ａの左右両側には上方に延びる側板部５３ｂが形成され、側板部５３ｂの上縁には外側に折曲げた支持部５３ｃが形成されている。冷凍装置側カバー部５３は、支持部５３ｃがハウジング１１の両側壁の上縁に内側に折曲げたフランジ部１１ｂに引っ掛けて支持されている。
【００１８】
上記のように構成した飲料ディスペンサ１０においては、電源スイッチ４０のオンボタン４２を押動操作すると、電源から冷凍装置２０と撹拌装置３０とに給電され、冷凍装置２０と撹拌装置３０とが作動する。冷凍装置２０においては、圧縮機２２により圧縮された冷媒ガスが凝縮器２３により冷却されて液化し、この液化冷媒がキャピラリーチューブを通って冷却水槽１２内の蒸発管２１に導かれ、冷却水槽１２内の冷却水が蒸発管２１で気化する液化冷媒により冷却される。冷却水槽１２内の冷却水は蒸発管２１の周囲で冷却されて徐々に氷層となる。また、撹拌装置３０においては、撹拌羽根３４が撹拌モータ３２によって回転して冷却水を撹拌し、飲料冷却管１４を通過する飲料は撹拌によって流動する冷却水によって効率よく冷却される。また、蒸発管２１の周囲に形成される氷層は撹拌されたときに流動する冷却水によって均一な厚みの氷層となる。
【００１９】
また、飲料ディスペンサ１０においては、電源スイッチ４０のオフボタン４３を押動操作すると、電源から冷凍装置２０と撹拌装置３０とに電気の供給が遮断され、冷凍装置２０と撹拌装置３０とが作動が停止する。
【００２０】
上記のように構成した飲料ディスペンサ１０においては、電源スイッチ４０は操作ボタンであるオンボタン４２及びオフボタン４３がハウジング１１の右側壁上部の開口１１ａから押動操作可能に外側に露出した状態にて、スイッチボックス４１がハウジング１１の右側壁上部内面に取り付けられている。スイッチボックス４１のオンボタン４２及びオフボタン４３を設けた操作面と対向する対向面には撹拌装置３０の支持板３１を介して冷却水槽１２に固定したカバープレート５１の水槽側カバー部５２における前側折曲部５２ｂの右端縁を近接させた。電源スイッチ４０のオンボタン４２またはオフボタン４３を押動操作しても、スイッチボックス４１は操作面と対向する対向面にカバープレート５１の水槽側カバー部５２における前側折曲部５２ｂの右端縁が当たって移動しないようになる。これにより、オンボタン４２またはオフボタン４３を押動操作したときに、スイッチボックス４１が対向面の後側（対向面の操作面と反対側）へ移動するのを阻止でき、オンボタン４２及びオフボタン４３が押しにくくなることを防ぐことができるとともに、ハウジング１１の側壁が内側に撓むのを防ぐことができる。また、カバープレート５１のような既存の部品を移動阻止部材として用いることで、新たな部品を追加することによるコストアップを防ぐことができる。
【００２１】
上記の実施形態においては、移動阻止部材としてカバープレート５１を用いたが、本発明はこれに限られるものでない。図３に示した電気部品収容ボックス５０の左右方向の幅を短くするとともに前側に配置して、電気部品収容ボックス５０の側壁が電源スイッチ４０のスイッチボックス４１の操作面と対向する対向面に当接またはわずかな隙間を設けて近接させてもよい。このようにしたときにも、上述したのと同様の作用効果を得ることができる。
【００２２】
また、上記の実施形態においては、移動阻止部材としてカバープレート５１を用いた例について説明したが、本発明はこれに限られるものでなく、例えばとして撹拌装置３０の支持板３１を介して冷却水槽１２に固定した板金部材を移動阻止部材とし、この板金部材よりなる移動阻止部材を電源スイッチ４０のスイッチボックス４１の操作面と対向する対向面に当接またはわずかな隙間を設けて近接させてもよい。この場合には、新たな部品を追加することによるコストアップとなるが、スイッチボックス４１が対向面の後側に移動するのを阻止することができる。
【００２３】
また、上記の実施形態においては、ハウジング１１の周壁として右側壁内面の上部にスイッチボックス４１を取り付けたが、本発明はこれに限られるものでなく、ハウジング１１の周壁として例えば、前壁、左側壁または後壁にスイッチボックス４１を取り付けてもよい。このようにしたときにも、上述したのと同様の作用効果を得ることができる。
【符号の説明】
【００２４】
１０…飲料ディスペンサ、１１…ハウジング、１２…冷却水槽、２０…冷凍装置、４０…電源スイッチ、４１…スイッチボックス、４２，４３…操作ボタン（オンボタン、オフボタン）、５０…移動阻止部材（電気部品収容ボックス）、５１…移動阻止部材（カバープレート）。
【図１】
2014065500.tif 000003
【図２】
2014065500.tif 000004
【図３】
2014065500.tif 000005
【図４】
2014065500.tif 000006